(57)【要約】      （修正有）【課題】害獣から効果的に防護する獣害防護具を提供する。【解決手段】枠体に支持される網目状の引掛部材２を含み２以上の引掛部材２が重ね合わされることを特徴とする獣害防護具２００を提供する。また、枠体として台紙を用い、台紙上に粘着層１０が塗布された獣害防護具２００の上に複数の引掛部材２を設ける。引掛部材２の網目寸法は、２ｍｍ〜５０ｍｍであり、２以上重ね合わせることにより、引掛部材２としての網目の大きさを任意に構成する。【選択図】図４
2015019592.tif 000002
【特許請求の範囲】
【請求項１】
枠体に支持されて、害獣を引掛けるための網目状の引掛部材を含み
２以上の前記引掛部材が重ね合わされること
を特徴とする獣害防護具。
【請求項２】
前記枠体は台紙であって、
前記台紙上に設けられる害獣を粘着させるための粘着層を有し、
前記粘着層上に２以上の前記引掛部材が重ね合わされることを特徴とする請求項１に記載の獣害防護具。
【請求項３】
前記引掛部材の網目寸法は、２ｍｍ〜５０ｍｍであり、２以上重ね合わせることにより、引掛部材としての網目の大きさを任意に構成することが可能であることを特徴とする請求項１乃至２に記載の獣害防護具。
【請求項４】
前記２以上の引掛部材は、前記網目寸法及び材料、形状が異なることを特徴とする請求項１乃至３に記載の獣害防護具。
【請求項５】
前記台紙の中央部に、前記台紙を折り畳み可能にするための折畳線が形成されており、前記台紙の折り畳み時、対向する粘着層面が相互に粘着するのを防止する粘着防止部材を１以上備え、
前記２以上の引掛部材は、前記折畳線を基準として、前記台紙に設けられた各対向する粘着層部分にそれぞれ重ね合わさせることを特徴とする請求項２乃至４に記載の獣害防護具。
【請求項６】
前記粘着層は、前記引掛部材の形状に沿って剥離紙に塗布されることを特徴とする請求項２乃至５に記載の獣害防護具。
【請求項７】
前記台紙は、折曲げ線を有し設置場所に応じて台紙を折曲げることにより、台紙の形状を変えて設置することが可能であることを特徴とする請求項２乃至６に記載の獣害防護具。
【請求項８】
前記枠体は、プレートであって、
前記プレートに、材料、網目寸法、形状が同一又は異なる２以上の引掛部材が支持され、
前記粘着層上に前記プレートを剥離可能に載設することを特徴とする請求項１に記載の獣害防護具。
【請求項９】
台紙の上に設けられ、害獣を粘着する粘着層と、
前記台紙上に設けられる１以上の支持体と、
該支持体上に支持される１以上の害獣を引掛けるための網目状の引掛部材とを含む
ことを特徴とする獣害防護具。
【請求項１０】
前記引掛部材の網目寸法は、２〜５０ｍｍであり、２以上重ね合わせることにより、引掛部材としての網目の大きさを任意に構成することが可能であることを特徴とする請求項９に記載の獣害防護具。
【請求項１１】
前記２以上の引掛部材は、前記網目寸法及び材料、形状が異なることを特徴とする請求項９乃至１０に記載の獣害防護具。
【請求項１２】
前記台紙の中央部に、前記台紙を折り畳み可能にするための折畳線が形成されており、前記台紙の折り畳み時、対向する粘着層面が相互に粘着するのを防止する粘着防止部材を１以上備え、
前記２以上の引掛部材は、前記折畳線を基準として、前記台紙に設けられた各対向する粘着層部分にそれぞれ重ね合わさせることを特徴とする請求項９乃至１１に記載の獣害防護具。
【請求項１３】
枠体と、
前記枠体上に設けられる１以上の支持体と、
該支持体上に支持される１以上の害獣を引掛けるための網目状の引掛部材とを含み
前記粘着層上に剥離可能に載設することを特徴とする獣害防護具。
【請求項１４】
前記引掛部材の網目寸法は、２〜５０ｍｍであり、２以上重ね合わせることにより、
引掛部材としての網目の大きさを任意に構成することが可能であることを特徴とする請求項１３に記載の獣害防護具。
【請求項１５】
前記２以上の引掛部材は、前記網目寸法及び材料、形状が異なることを特徴とする請求項１３乃至１４に記載の獣害防護具。
【発明の詳細な説明】
【技術分野】
【０００１】
本発明は、２以上の網目状の引掛部材を重ねることにより、低コストでありながら多様な害獣に対処することができる獣害防護具に関する。
【背景技術】
【０００２】
従来、ネズミ等の害獣から防護する手段としてはネズミ等の小動物を捕獲するための小動物捕獲具が知られている。例えば、下記特許文献１に記載されているように、台紙上の剥離紙に塗布された粘着層上に網目状に形成された引掛部材を設け、台紙上を走行する小動物の足、爪、または指を引掛部材に引っ掛けて強制的に体勢を崩して粘着層により体を粘着させるようにしたものが知られている。
また、下記特許文献２に記載されているように、合成繊維を針状に生成し、動物に物理的な痛みを与えて、動物を忌避する動物忌避ネットが知られている。
【特許文献１】特開２００６−２５４７１６号公報
【特許文献２】特開２００６−３４０６７４号公報
【発明の開示】
【発明が解決しようとする課題】
【０００３】
この特許文献１は、本願の出願人が提案したものであるが、この出願に係る小動物捕獲具では、小動物の体制を強制的に崩すために小動物の爪等が引掛部材に引っ掛ることが重要であり、そのためには引掛部材が粘着層から少し浮いていることが望ましい。しかし、この小動物捕獲具では、引掛部材が張力の緩み等により粘着層に埋没してしまい、引掛け効果が弱かった。
また、動物の種類に応じて、専用の網目寸法を有する引掛部材を用意しなければならないので、量産化することができず、コストが掛かっていた。
更に、引掛部材が粘着層に埋没している部分が多く、ネズミ等を捕獲した場合に、引掛部材のみを台紙から取り外すことができず、捕獲毎に台紙ごと廃棄しなければならなかった。
また、動物忌避ネットは、針状の構成であるため、設置時に、設置をする人が怪我をしないように気を付ける必要がある。更に、人間が踏んだ時に靴に絡まる上に、飼い猫等、害獣以外の動物をも傷つけてしまうことがあった。
【課題を解決するための手段】
【０００４】
本発明は、以上の点を解決するために、次の構成を採用する。
＜構成１＞
枠体に支持される害獣を引掛けるための網目状の引掛部材を含み２以上の引掛部材が重ね合わされることを特徴とする。
＜構成２＞
枠体は台紙であって、台紙上に設けられる害獣を粘着させるための粘着層を有し、粘着層上に２以上の引掛部材が重ね合わされることを特徴とする。
＜構成３＞
引掛部材の網目寸法は、２ｍｍ〜５０ｍｍであり、２以上重ね合わせることにより、引掛部材としての網目の大きさを任意に構成することが可能であることを特徴とする。
＜構成４＞
２以上の引掛部材は、網目寸法及び材料、形状が異なることを特徴とする。
＜構成５＞
台紙の中央部に、台紙を折り畳み可能にするための折畳線が形成されており、台紙の折り畳み時、対向する粘着層面が相互に粘着するのを防止する粘着防止部材を１以上備え、２以上の引掛部材は、折畳線を基準として、台紙に設けられた各対向する粘着層部分にそれぞれ重ね合わさせることを特徴とする。
＜構成６＞
粘着層は、引掛部材の形状に沿って剥離紙に塗布されることを特徴とする。
＜構成７＞
台紙は、折曲線を有し設置場所に応じて台紙を折曲ることにより、台紙の形状を変えて設置することが可能であることを特徴とする。
＜構成８＞
枠体は、プレートであって、プレートに、材料、網目寸法、形状が同一又は異なる２以上の引掛部材が支持され、粘着層上に剥離可能に載設することを特徴とする。
＜構成９＞  
台紙の上に設けられる害獣を粘着する粘着層と、台紙上に設けられる１以上の支持体と、該支持体上に支持される１以上の網目状の引掛部材とを含むことを特徴とする。
＜構成１０＞
引掛部材の網目寸法は、２〜５０ｍｍであり、２以上重ね合わせることにより、引掛部材としての網目の大きさを任意に構成することが可能であることを特徴とする。
＜構成１１＞
２以上の引掛部材は、網目寸法及び材料、形状が異なることを特徴とする。
＜構成１２＞
台紙の中央部に、台紙を折り畳み可能にするための折畳線が形成されており、台紙の折り畳み時、対向する粘着層面が相互に粘着するのを防止する粘着防止部材を１以上備え、２以上の引掛部材は、折畳線を基準として、台紙に設けられた各対向する粘着層部分にそれぞれ重ね合わさせることを特徴とする。
＜構成１３＞
枠体と、枠体上に設けられる１以上の支持体と、該支持体上に支持される１以上の網目状の引掛部材とを含み粘着層上に剥離可能に載設することを特徴とする。
＜構成１４＞
引掛部材の網目寸法は、２〜５０ｍｍであり、２以上重ね合わせることにより、引掛部材としての網目の大きさを任意に構成することが可能であることを特徴とする。
＜構成１５＞
２以上の引掛部材は、網目寸法及び材料、形状が異なることを特徴とする。
【発明の効果】
【０００５】
本願の獣害防護具によれば、枠体と該枠体に支持される２以上網目状の引掛部材を重ねる構成により、害獣を効果的に忌避することができ、かつ、効率的に捕獲することができる。
また、網目状の引掛部材には、引用文献２のような針状の突起等が無いので、動物に対し、物理的に痛みを与えることがない上に、設置時に設置する人が怪我をする恐れがない。
また、設置後に人が踏んでも靴に絡み付くこともない上に、飼い猫等のペットを傷つけることもないので、どんな場所でも気軽に設置することができる。
更に、害獣は自力で逃げることが可能であるので、逃げるために噛みついて獣害防護具を壊されることもないので、再利用することができる。
また、台紙上に塗布された粘着層上に網目状に形成された引掛部材を２以上重ねる構成にしたことで、引掛部材の一枚目が粘着層に埋没しても、その上に載設した引掛部材は、一枚目の引掛部材を土台とすることで、粘着層に埋没することなく、引掛部材が全体的に粘着層から浮いているため、害獣の足、爪、または指を効果的に引掛部材に引っ掛けて、強制的に体制を崩させ、害獣の体毛等を粘着層に粘着させるので、害獣を効果的に捕獲することができる。
尚、一枚目として多様な支持部材を用いることでも、網目状の引掛部材を粘着層から効果的に浮かせることができる。これにより、害獣を効果的に引掛けることが可能となる。
この効果により、従来はネズミ等、小動物の捕獲にしか使用できなかった粘着性捕獲具を、イタチ、狸等の中型の動物に対しても使用できるようになった。
更に、誤って人間が設置後の獣害防護具の上を踏んでしまったり、落としたり、ひっくり返してしまった場合に、粘着層の上の引掛部材が保護材となり、従来品よりも粘着層が床等にくっつきにくく、また、剥がしやすいので原状復帰も早くなる。
また、複数枚の引掛部材を相互にずらしながら重ねることにより、害獣の種類や爪の大きさに合わせた引掛部材の網目の大きさや形状を任意に設定することができる。そのため、害獣の種類に応じた専用の引掛部材を作成するコストを下げることができる。
更に、引掛部材が粘着層に埋没せずに複数枚あるので、害獣を捕獲した際に、一番上の引掛部材を取り外せば台紙部分は再利用することができ、ゴミを減らすこともできる。
また、台紙の上に剥離可能に接着するための仮接着剤が塗布された剥離紙上に粘着層を塗布し、該粘着層上に複数の網目状に形成された引掛部材を配する構成にした場合には、使用済みの粘着層が塗布された剥離紙のみを台紙から剥離し、未使用の粘着層が塗布された剥離紙を接着することで、台紙のリサイクルが可能となり、ゴミを大幅に減らすことができる。
【発明を実施するための最良の形態】
【０００６】
以下、本発明の実施形態について、図を用いて詳細に説明する。
【実施例１】
【０００７】
〈実施例１の構成〉
図１は、本発明の獣害防護具１００を示す平面図である。
【０００８】
図１に示すように、獣害防護具１００は枠体１と２以上の網目状の引掛部材２、３から形成されている。
図２の記載では、引掛部材２は直線表しており、上方である。引掛部材３は波状で表しており、下方である。
【０００９】
この枠体１は、獣害防護具が風等に飛ばされなく、設置や回収が簡単であれば、特に素材は問わない。対象とする害獣の種類や設置場所により、様々なものが考えられる。例えば、屋根に停まるカラスに対しては、枠体として、針金やプレート状の金属、プラスチック等が挙げられる。また、ゴミ収集場の前であれば、設置や回収が簡単なロープ等が挙げられる。また、牧場等であれば、支柱の付いた金属プレートを用いて地面に固定してもよい。
【００１０】
引掛部材としては、網目状に形成されたポリアミド樹脂で形成される。この網目寸法としては、ネズミ等の小動物の足、爪、または指が獣害防護具上を走行する際に引っ掛けられる大きさで形成されることが望ましく、本実施例では、この網目寸法は10ｍｍに形成されている。
この引掛部材２と３を相互にずらして重ね合わせることにより、引掛部材の網目寸法を5ｍｍ〜6ｍｍとしている。（図２参照）
【００１１】
〈実施例１の動作〉
以下、本発明の獣害防護具１００により害獣を忌避するまでの説明を行う。
【００１２】
害獣から保護したい物や害獣の溜場の周囲に獣害防護具１００を設置する。本実施例としては、モデルケースとしてゴミ収集場、害獣のモデル動物として狸を用いる。
【００１３】
ゴミ収集場の周囲に、獣害防護具１００を設置する。狸がこの獣害防護具の上を歩くと、図３に示すように、引掛部材の網目により狸の爪７が引っ掛けられる。これにより、狸は姿勢を崩しここは危険な場所だと認識し近づかなくなる。これにより、忌避することができる。      
【００１４】
〈実施例１の効果〉
本実施例の獣害防護具１００では、枠体としてロープを用い、引掛部材の網目寸法を10ｍｍに設定し、これを相互にずらして２枚重ねて、引掛部材の網目寸法を5ｍｍ四方とした。
この獣害防護具上を走行する狸の爪７を引掛部材に引っ掛けさせ、強制的に姿勢を崩すようにしたので、狸の警戒心を高め、忌避することができる。（図３参照）
また、本願の獣害防護具は、動物が歩きにくい状態にすることで動物の警戒心を高め、忌避するものであり、針状の突起物等、動物に対し物理的に痛みを与えることがないので、動物が怪我をすることがない。また、自力で逃げることが可能であるので、逃げるために噛みついて獣害防護具を壊されることもないので再使用が可能であり、ゴミの量を減らせるので環境にも優しい。
【実施例２】
【００１５】
〈実施例２の構成〉
図４は、実施例２の獣害防護具２００の平面図である。
【００１６】
図４に示すように、獣害防護具２００は台紙により形成されており、この台紙の各縁部４０は、後述する粘着層１０が台紙から流れ出すのを防止し、また、折畳時に対向する粘着層同士が接着しないように、粘着層を塗布する領域よりも高く形成されている。
【００１７】
この台紙の各縁部４０を除く内面側の領域には粘着層１０が塗布されている。この粘着層１０としては、例えば、ポリブテンとゴム状有機高分子化合物を配合した系にアタクチックポリブロビレンまたはポリエチレン等を添加した組成物が用いられるのが一般的であり、各化合物の配合割合によりその粘着力を向上させることができる。
【００１８】
この粘着層１０上には、網目状に形成された引掛部材としてポリアミド樹脂から形成される引掛部材が配されている。この引掛部材の網目寸法としては、ネズミ等の害獣の足、爪、または指が粘着層１０上を走行する際に引っ掛けられる大きさで形成されることが望ましく、本実施例では、この網目寸法は縦が18ｍｍ、横が20ｍｍに形成されている。この引掛け部材２と３を重ねることにより一つの網目を9ｍｍから10ｍｍ程度としている。
また、本実施例では、粘着層１０上に引掛部材を配することで粘着層１０が流れ出てしまうのを防止している。
【００１９】
台紙の中央部には、図４に示すように、台紙を折り畳み可能とするための折畳線５０が形成されており、この折畳線５０を介して区分される粘着層１０が塗布された各領域には、それぞれ中央付近に台紙の折り畳み時に各領域が相互に粘着するのを防止するための粘着防止部材３５が配されている。これにより、獣害防護具２００の携帯時及び保管時、図８に示すように、台紙を粘着させることなく折り畳みが可能となり、携帯時及び保管時の取り扱いの利便性が向上されている。
【００２０】
この粘着防止材３５は引掛部材の下に設置されており、その形状は、例えば丸型が挙げられるが、これに限らず、三角形、井桁形、十字形、中空の四角形等でもよい。また複数個設置してもよい。引掛部材を粘着層から浮かせ、対向面の粘着層同士が対合しなければ特に形状や個数にはこだわらない。
【００２１】
さらに、台紙には、図７に示すように、台紙を切取り可能とするための折曲げ線６０が外面側に形成されており、折曲げ線６０にしたがって台紙を折曲げることが可能となっている。従って、例えば、獣害防護具２００を道幅の狭い通路に設置する場合等、折畳線６０にしたがって台紙を折曲げることで、獣害防護具２００を設置でき、設置に伴う利便性が向上されている。
また、図３に示すように、本実施例では、粘着層１０上に配された引掛部材メッシュの網目寸法は、ネズミ等の小動物の足が粘着層１０上を走行する際に入り込んで引っ掛けられるような大きさ（例えば、２〜２０ｍｍの範囲内）で形成されている。その他の構成は実施例１と同様である。
【００２２】
〈実施例２の動作〉
以下、本実施例の獣害防護具２００により害獣から防護するまでの説明を行う。
本実施例としては、モデルケースとして飲食店の店内、害獣のモデルとしてネズミを用いる。
【００２３】
ネズミの通路に配された獣害防護具２００上をネズミが走行すると、図３に示すように、引掛部材の網目にネズミの足８が入り込んで引っ掛かる。これにより、ネズミは体勢を崩し、体毛の一部が粘着層１０に粘着する。これにより、より効果的に害獣を捕獲することができる。
【００２４】
〈実施例２の効果〉
実施例２の獣害防護具２００では、台紙に塗布された粘着層１０上に網目状の引掛部材を２以上重ねることにより、１枚目の引掛け部材が土台となり、その上に重ねられる引掛部材を台紙上の粘着層から浮かすことができる。これにより、効果的に台紙上でネズミの足８を引掛部材に入り込ませて引っ掛けることができ、強制的に体制を崩させ、ネズミの体毛の一部を粘着層１０に粘着させることができる。このようにすることでネズミの捕獲率を向上させることができる。また、粘着層１０上に配された引掛部材により粘着層の流れ出しが防止できる。
また、引掛部材が害獣の爪や足等を引っ掛け、体制を崩させ、粘着層に動物の身体の体毛を引掛けることができるので、従来、脚力が強いため粘着性捕獲具では捕獲できなかったイタチや狸等の中型の動物も捕獲することができる。
【００２５】
また、変形例として、支持部材を粘着層上に設け、その上に網目状の引掛部材を重ねる構成も考えられる。
支持部材の形状は、網目状の引掛部材を支持できればよいので様々な形状が考えられる。例えば、線状、中空の四角形、三角形、円状、十字形、井型等が挙げられる。
また、材質も問わない。例えば、金属やプラスチック、ゴム等が挙げられる。
該支持部材により、網目状の引掛部材を粘着層から浮かせることができるため、効果的に引掛けることができる。
【実施例３】
【００２６】
〈実施例３の構成〉
図８は、実施例３の獣害防護具３００の平面図である。
【００２７】
この粘着層３０上には、網目状に形成された引掛部材としてポリアミド樹脂から形成される引掛部材が配されている。引掛部材３２の網目寸法は、１８ｍｍ×２０ｍｍであり、引掛け部材３３の網目寸法は、４ｍｍ×４ｍｍである。
各々の引掛部材を異なる網目寸法とした構成が、実施例２との違いである。
【００２８】
〈実施例３の動作〉
本実施例の動作は、実施例２と同様である。
【００２９】
〈実施例３の効果〉
実施例３の獣害防護具３００では、台紙に塗布された粘着層３０上に網目寸法の異なる引掛部材を２以上重ねる構成とした。網目寸法の大きい引掛部材の上に網目寸法の小さい引掛部材を重ねることにより、網目寸法の小さい引掛け部材を粘着層から効果的に浮かせることができる。また、網目の大きさを変えることで、捕獲能力が上がり、対象とする動物に特化した獣害防護具とすることができる。
【実施例４】
【００３０】
〈実施例４の構成〉
図９は、実施例４の獣害防護具４００を示す平面図である。
【００３１】
図９に示すように、本実施例では、獣害防護具は枠体４１と引掛部材４２、４３から成る部品であり、市販の粘着性小動物捕獲具の粘着層上に載設して使用することができる。（図９、図１０参照）
その他の構成は実施例２と同様である。
【００３２】
枠体の素材としては、例えばプラスチックやアルミ、ステンレス等の金属等が挙げられる。枠体の大きさは、市販の粘着性捕獲具の粘着部と同じ大きさ又は小さい大きさでも構わない。粘着層の上に載設することができればよい。好ましくはプレート状であって、厚みが１〜２ｍｍ程度で丈夫なものが望ましい。粘着層から引掛部材４２、４３を浮かせることで、害獣の足、爪、または指を効果的に引っ掛けて、強制的に体制を崩させ、体毛等を粘着層に粘着させることで効果的に捕獲することができるからである。また、粘着層から取り外し、再利用するためにある程度の曲げ強度があることが望ましい。
【００３３】
〈実施例４の動作〉
本実施例の獣害防護具４００により小動物が捕獲されるまでの工程について説明する。
獣害防護具４００を、市販の粘着性捕獲具の粘着層の上に載設すると、枠体４１が粘着層により固定される。
害獣を捕獲する工程は実施例２と同様である。
粘着層が弱くなったり、より強力な粘着層を有する捕獲具に交換したくなれば、獣害防護具４００を粘着層から剥がし、再利用することができる。
【００３４】
＜実施例４の効果＞
実施例４の獣害防護具４００は、市販の粘着性捕獲具上に載設できる獣害防護具である。
市販の粘着性捕獲具の上に載設するだけで、捕獲性能を簡単かつ効果的に上げることができる。また、物理的な破損がなければ、繰り返し再利用することができるので、費用も安く済む。また、ゴミの量の減らすことができるので、環境にも優しい。
【産業上の利用可能性】
【００３５】
上記各実施例において、獣害防護具は台紙に粘着層を塗布し、粘着層上に網目状の引掛部材を配することを構成としていたがこれに限られることはなく、例えば、プラスチック製のプレートや厚紙、ステンレス等に粘着層を塗布し、粘着層上に網目状の引掛部材を複数載設する構成としてもよい。
【００３６】
また、変形例として、粘着層の上に支持部材を載設し、その上に網目状の引掛部材を重ねることも考えられる。（図１１参照）  
【００３７】
上記各実施例では、害獣として、狸やネズミからの防護について説明を行ったがこれに限られることはなく、例えば、イタチ、烏等を捕獲対象としてもよい。また、ゴキブリ等の昆虫類等も含まれる。
【００３８】
上記各実施例では、ポリアミド樹脂から形成される引掛部材を用いられていたが、引掛部材の素材はこれに限られることはなく、例えば、ゴム素材、毛糸、アルミ、ステンレス、銅等の金属素材でもよい。
【００３９】
害獣の種類に応じて、引掛部材（引掛部材）の色彩、網目の大きさ、形状を変化させてもよい。例えば、波線上のものを用いても良い。
また、引掛部材（引掛部材）を黒色で形成することにより、光の反射が吸収されるので、警戒心の強いクマネズミの捕獲率の向上を図ることができる。
【００４０】
また、引掛部材は、網目の寸法や形状が同一の物を複数重ねても良いし、異なるものを複数重ねる構成としてもよい。例えば、網目寸法の大きい引掛部材の上に、寸法の小さな引掛部材を重ねることにより、引掛部材を粘着層から効果的に浮かすことができる。対象とする害獣の爪や足、または指の形状により、効果的な組み合わせとすることができる。
【００４１】
また、網目の形状は正方形や長方形を例として挙げたが、これに限らず、例えば、ひし形や５角形、６角形等の多角形でもよい。
網目寸法は、例えば、イタチや狸等の中型動物であれば50から30ｍｍ、大型のドブネズミや中型動物の幼体であれば40〜10ｍｍ、小型のネズミ等であれば、20〜2ｍｍが好ましい。勿論、これらの網目寸法の異なる部材を重ね合わせることで、より引掛け効果を上げることもできる。
【００４２】
また、例えば、獣害防護具の色を設置床面と同色とすることで、獣害防護具の認識率を低下させることができ、害獣の捕獲率の向上を図ることができる。
【００４３】
また、上述した実施例では、台紙に粘着層を全体的に塗布したが、例えば、引掛部材（引掛部材）の形状（例えば、線状、螺旋状、格子状）に沿って粘着層を塗布することで、従来、一定の厚みを形成するため全体的に多量に塗布されていた粘着層量を減らすことができる。従って、粘着層のコスト軽減が可能となり、また、粘着層の廃棄量を減らすことができる。
【００４４】
さらに、害獣の種類に応じて、塗布する粘着層の塗布量を調整し、粘着層の厚さを変化させてもよい。例えば、塗布する粘着層の厚さを大きくすることで、ドブネズミやイタチ等の比較的大きい小動物の場合、その体重から足や指を粘着層に深くめり込ませることができる。従って、大型のドブネズミやイタチの捕獲率を向上させることができる。
【００４５】
上述した実施例では、台紙に粘着層を塗布していたが、例えば、台紙に対して、剥離可能に接着するための仮接着剤が塗布された剥離紙上に粘着層を塗布し、該粘着層上に網目状に形成された引掛部材を配する構成にしてもよい。この場合、使用済みの粘着層が塗布された剥離紙を台紙から剥離し、未使用の粘着層が塗布された剥離紙を接着することで、台紙のリサイクルが可能となる。
【００４６】
また、枠体は、枠対同士が相互に連結できるように、縁部に枠体同士を嵌め合わせる形状や凹凸をつけたり、配管等に固定できるように穴を開けておいてもよい。
【図面の簡単な説明】
【００４７】
【図１】本発明の獣害防護具１００を示す平面図
【図２】引掛部材２、３の位置関係図
【図３】獣害防護具と爪７、足８の位置関係図
【図４】獣害防護具２００を示す平面図
【図５】獣害防護具２００の変形例を示す図
【図６】台紙、粘着層、引掛部材の位置関係図
【図７】折畳時の形態、折曲線の配置を示す図
【図８】獣害防護具３００を示す平面図
【図９】獣害防護具４００を示す平面図
【図１０】獣害防護具４００を示す断面図
【図１１】獣害防護具４００の変形例を示す平面図
【符号の説明】
【００４８】
１００、２００、３００、４００  獣害防護具
１、４１  枠体
１０、３０  粘着層
２、３２、３３、４２、４３  引掛部材
３５  粘着防止部材
４０  縁部
５０  折畳線
６０  折曲線
７  爪
８  足
４１０  線状引掛部材
【図１】
2015019592.tif 000003
【図２】
2015019592.tif 000004
【図３】
2015019592.tif 000005
【図４】
2015019592.tif 000006
【図５】
2015019592.tif 000007
【図６】
2015019592.tif 000008
【図７】
2015019592.tif 000009
【図８】
2015019592.tif 000010
【図９】
2015019592.tif 000011
【図１０】
2015019592.tif 000012
【図１１】
2015019592.tif 000013